(57)【要約】      （修正有）【課題】表示される所定の情報を隠蔽する情報隠蔽シートに関し、隠蔽されている識別番号等のＬＥＤライト照射による視認を防止する。【解決手段】シート部１２に互いに関連付けられたＰＩＮコード４１及びＰＯＳコード４２が形成され、シート部１２に対してＰＩＮコード４１を隠蔽し、ＰＯＳコード４２をＰＯＳコード対応開口部３１を介して目視可能に表出させて隠蔽部材１４が剥離性接着層３５で剥離可能に重ね合わせ接着されるものであり、隠蔽部材１４のシート部１２との接着面であって、当該ＰＩＮコード４１の形成位置と重ね合わせの厚さ方向で対応する位置に形成されるカーボン入り隠蔽層３２を形成する構成とする。【選択図】図２
2015016625.tif 000002
【特許請求の範囲】
【請求項１】
所定の情報を隠蔽し、後に視認可能とさせる情報隠蔽シートであって、
互いに関連付けられた第１コード及び第２コードが形成されるシート部と、
前記シート部に対し、前記第１コードを隠蔽し、前記第２コードを目視可能に表出させて剥離可能に重ね合わせ接着される隠蔽部材と、
前記シート部又は隠蔽部材に、当該第１コードの形成位置と重ね合わせの厚さ方向で対応する位置に形成されるカーボン入り隠蔽層と、
を有することを特徴とする情報隠蔽シート。
【発明の詳細な説明】
【技術分野】
【０００１】
本発明は、表示される所定の情報を隠蔽する情報隠蔽シートに関する。
【背景技術】
【０００２】
近年、例えばコンピュータネットワーク上の電子店舗における買い物や提供サービスをプリペイドカードを用いて利用可能とするシステムが実用化されている。このようなシステムはプリペイドカードに管理サーバで管理されている識別符号（ＩＤ）及びこれに対応付けられたＰＯＳコードが表示され、プリペイドカードが購入される際に当該プリペイドカードに表示されたＰＯＳコードをＰＯＳレジスタにより読み取られることで使用可能となり、利用者はプリペイドカードに表示されているＩＤを用いて上記電子店舗での支払い決済を行うものである。このような利用形態においては特に購入前の他人によるプリペイドカード上のＩＤの不正取得を防止する必要がある。
【０００３】
従来、コンピュータネットワーク上の電子店舗における買い物や提供サービスをプリペイドカードを用いて利用可能とするシステムに用いられるプリペイドカードとして特許文献１に記載されているカードが知られている。特許文献１には、カード上にコントロールナンバとこれに対応する個人識別番号（ＰＩＮ）が表示され、当該個人識別番号の表示上にスクラッチ層を形成して隠蔽するものとして提案している。
【０００４】
上記特許文献１記載のカードは、個人識別番号を視認可能とするためにはスクラッチ層を使用者が削り取る作業が必要であると共に、削取後の美観にも問題があることから、特許文献２に記載されている技術を適用することができる。特許文献２の技術は、台紙上にバーコードが表示されたＩＤカードが剥離自在に貼着されたもので、一方で、台紙上のＩＤカードが貼着される部分に暗証番号が表示され、ＩＤカードが台紙上に貼着されることで暗証番号が隠蔽されるというものである。
【先行技術文献】
【特許文献】
【０００５】
【特許文献１】特表２０１０−５３１０２１号公報
【特許文献２】特開平１１−１１０４９４号公報
【発明の概要】
【発明が解決しようとする課題】
【０００６】
しかしながら、台紙上にカードが貼着されて個人識別番号や暗証番号が隠蔽されるものであっても、携帯電話やスマートフォンに装着されているＬＥＤライトや夜間照明用のＬＥＤライトを裏側から照らすと隠蔽されている識別番号等が透けて認識可能となり、悪意の者による識別番号等が不正取得されてしまうという問題がある。
【０００７】
そこで、本発明は上記課題に鑑みなされたもので、隠蔽されている識別番号等のＬＥＤライト照射による視認を防止する情報隠蔽シートを適用することを目的とする。
【課題を解決するための手段】
【０００８】
上記課題を解決するために、請求項１の発明では、所定の情報を隠蔽し、後に視認可能とさせる情報隠蔽シートであって、互いに関連付けられた第１コード及び第２コードが形成されるシート部と、前記シート部に対し、前記第１コードを隠蔽し、前記第２コードを目視可能に表出させて剥離可能に重ね合わせ接着される隠蔽部材と、前記シート部又は隠蔽部材に、当該第１コードの形成位置と重ね合わせの厚さ方向で対応する位置に形成されるカーボン入り隠蔽層と、を有する構成とする。
【発明の効果】
【０００９】
本発明によれば、シート部に互いに関連付けられた第１コード及び第２コードが形成され、シート部に対して第１コードを隠蔽し、第２コードを目視可能に表出させて隠蔽部材が剥離可能に重ね合わせ接着されるものであり、シート部又は隠蔽部材に、当該第１コードの形成位置と重ね合わせの厚さ方向で対応する位置に形成されるカーボン入り隠蔽層を形成する構成とすることにより、カーボン入り隠蔽層がＬＥＤライトの照射光による第１コードを視認させることを防止し、当該第１コードの不正取得を防止することができるものである。
【図面の簡単な説明】
【００１０】
【図１】本発明に係る情報隠蔽シートの第１実施形態の構成図である。
【図２】図１のシート及び隠蔽状態の説明図である。
【図３】本発明に係る情報隠蔽シートにおけるＰＩＮコードの視認防止の説明図である。
【図４】本発明に係る情報隠蔽シートの第１実施形態の他の構成図（１）である。
【図５】本発明に係る情報隠蔽シートの第１実施形態の他の構成図（２）である。
【図６】本発明に係る情報隠蔽シートの第２実施形態の構成図である。
【図７】本発明に係る情報隠蔽シートの第２実施形態の他の構成図（１）である。
【図８】本発明に係る情報隠蔽シートの第２実施形態の他の構成図（２）である。
【発明を実施するための形態】
【００１１】
以下、本発明の実施形態を図により説明する。本実施形態では、情報隠蔽シートを、コンピュータネットワーク上の電子店舗における買い物や提供サービスをサービス提供用シート（プリペイドカード）に適用させる場合の形態として示すが、情報隠蔽技術として隠蔽葉書シートなどの郵送物や配送伝票の他、情報隠蔽帳票シートに対しても適用することができるものである。
【００１２】
図１に本発明に係る情報隠蔽シートの第１実施形態の構成図を示すと共に、図２に図１のシート及び隠蔽状態の説明図を示し、図３に本発明に係る情報隠蔽シートにおけるＰＩＮコードの視認防止の説明図を示す。図１(Ａ）、（Ｂ）に示すように、情報隠蔽シート１１は、シート部１２、保護部材１３及び隠蔽部材１４により構成される。
【００１３】
上記シート部１２は、図２（Ａ）に示すように、裏面１２Ｂの同一面上に管理サーバなどで互いに関連付けられた第１コードであるＰＩＮコード４１及び第２コードであるＰＯＳコード４２が形成され、少なくともＰＩＮコード４１はＰＩＮコード用として最適なカーボントナー印字により形成される。なお、カーボントナー印字でなく、カーボン入りインキにより形成することとしてもよい。上記保護部材１３は、例えばシート部１２と同厚の紙製のもので、シート部対応開口部２１が形成される共に、掛け穴用の孔部２２が形成される。
【００１４】
上記隠蔽部材１４は、例えば保護部材１３と同サイズの紙製のもので、当該保護部材１３に形成されたシート部対応開口部２１に対応した領域内に、後にシート部１２が位置したときのシート部裏面１２Ｂに表示されたＰＯＳコード４２を視認可能に表出させるＰＯＳコード対応開口部３１が形成されると共に、シート部裏面１２Ｂに表示されたＰＩＮコード４１に対応する位置にカーボン入り隠蔽層３２が形成される。そして、保護部材１３に形成された孔部２２に対応する孔部３３が形成される。
【００１５】
上記カーボン入り隠蔽層３２は、例えば文字柄パターンで形成されるもので、少なくとも上記ＰＩＮコード４１を形成したカーボントナーに含まれるブラックカーボン粒子径より同等以上の粒子径のブラックカーボンを含有する紫外線硬化型インキにより形成される。当該カーボン入り隠蔽層３２は、遮光としていわゆるベタ塗り状態でもよいが、厚塗りになると塗布ムラが生じたり、後にシート部１２が貼着されたときに写りを生じる場合があることから、文字柄パターンとすることにより薄塗りでＬＥＤライト照射光による透過読み取りを効果的に防止することができるものである。当該文字柄パターンは、好ましくは、ＰＩＮコード４１の文字種（数字、記号等を含む）と同文字種を天地逆転や斜め等にランダム配置することが効果的である。
【００１６】
上記隠蔽部材１４と上記保護部材１３とは、図１（Ａ）、図２（Ｃ）に示すように、当該保護部材１３に形成されたＰＯＳコード対応開口部３１に対応した領域以外の領域に従前より知られている強接着層３４を介して接着され、保護部材１３のシート部対応開口部２１にシート部１２がＰＩＮコード４１及びＰＯＳコード４２が形成された裏面１２Ｂを重ね合わせ面として位置されて隠蔽部材１４と従前より知られている剥離性接着層３５を介して剥離自在に貼着される。なお、図１（Ａ）では、強接着層３４及び剥離性接着層３５を隠蔽部材１４に設けた場合を示しているが、接着対象の保護部材１３やシート部１２に対して相対的なものであり、製作工程上で適宜決定すればよい。
【００１７】
すなわち、隠蔽部材１４に保護部材１３が貼り付けられ、シート部１２が剥離自在に貼着されることで、図１（Ｂ）に示す情報隠蔽シート１１となる。当該情報隠蔽シート１１は、図２（Ｂ）、（Ｃ）に示すように、その裏面（隠蔽部材１４の裏面１４Ｂ）ではＰＯＳコード対応開口部３１よりシート部１２の裏面１２Ｂに形成されたＰＯＳコード４２が目視可能に表出された状態となり、ＰＩＮコード４１はその形成位置と重ね合わせの厚さ方向で対応する位置に形成されたカーボン入り隠蔽層３２と重なり合った状態となって隠蔽されるものである。
【００１８】
このような情報隠蔽シート１１が、例えばコンビニエンスストアなどで販売され、利用者が購入する際にはＰＯＳコード４２がＰＯＳレジスタで読み取られて購入確定された時点で、管理サーバ上で当該ＰＯＳコード４２に関連付けられたＰＩＮコード４１の使用が有効となる。すなわち、購入者は情報隠蔽シート１１よりシート部１２を剥離することで裏面１２Ｂに形成されたＰＩＮコード４１が視認可能となり、当該ＰＩＮコード４１のコンピュータネットワーク上での使用が可能となるものである。
【００１９】
また、例えば販売陳列しているときに、図３に示すように、悪意の者により携帯電話やスマートフォンに装着されているＬＥＤ５０ライトや夜間照明用のＬＥＤライト５０を裏側から照射してもカーボン入り隠蔽層３２により照射光の透過による文字柄パターンにより（ベタ塗りの場合は遮光）、ＰＩＮコード４１が認識されることがなく、ＰＩＮコード４１の不正取得が防止されるものである。
【００２０】
ここで、図４及び図５に、本発明に係る情報隠蔽シートの第１実施形態の他の構成図を示す。図４において、図４（Ａ）に示すシート部１２は図２（Ａ）と同様に裏面１２Ｂの同一面上にＰＩＮコード４１及びＰＯＳコード４２が形成されたものである。図４（Ｂ）に示す情報隠蔽シート１１は、図１及び図２と同様の構成として、上記同様のカーボン入り隠蔽層５１の形成を、隠蔽部材１４の裏面１４Ｂであって、貼着されるシート部１２のＰＩＮコード４１の形成位置と重ね合わせの厚さ方向で対応する位置に形成した構成である。
【００２１】
このような情報隠蔽シート１１は、図４（Ｂ）に示すように、その裏面（隠蔽部材１４の裏面１４Ｂ）ではＰＯＳコード対応開口部３１よりシート部１２の裏面１２Ｂに形成されたＰＯＳコード４２が目視可能に表出された状態となり、ＰＩＮコード４１は、その形成位置と重ね合わせの厚さ方向で対応する位置として隠蔽部材１４の裏面１４Ｂ上に形成されたカーボン入り隠蔽層５１と重なり合った状態となって隠蔽されるものである。
【００２２】
また、図５（Ａ）において、シート部１２は図２（Ａ）と同様に裏面１２Ｂの同一面上にＰＩＮコード４１及びＰＯＳコード４２が形成され、図５（Ｂ）に示すように、その表面１２Ａであって、裏面１２ＢのＰＩＮコード４１と重ね合わせの厚さ方向で対応する位置に上記同様のカーボン入り隠蔽層５２を形成した形態である。
【００２３】
このようなシート部１２を用いた情報隠蔽シート１１の構成を図示しないが、カーボン入り隠蔽層３２（５１）の形成位置を異ならせてシート部１２の表面１２Ａに形成させたもので、他の構成は同様である。
【００２４】
上記のように、カーボン入り隠蔽層５１，５２の形成位置を異ならせることによってもＬＥＤライトによる照射に対してもカーボン入り隠蔽層５１，５２の照射光の透過による文字柄パターンにより（ベタ塗りの場合は遮光）、ＰＩＮコード４１が認識されることがなく、ＰＩＮコード４１の不正取得が防止されるものである。
【００２５】
次に、図６に、本発明に係る情報隠蔽シートの第２実施形態の構成図を示す。本実施形態における情報隠蔽シート１１は、図６（Ａ）、（Ｂ）に示すように、シート部６１と隠蔽部材６２とが折り線６３により折り畳み可能に連設されたものである。シート部６１の表面６１ＡにはＰＩＮコード４１及びＰＯＳコード４２が形成されたものであるが、この場合のＰＩＮコード４１は折り線６３側になるように形成される。また、シート部６１の折り線６３と対向する位置に掛け穴用の孔部６５が形成される。
【００２６】
上記隠蔽部材６２は、その連設方向の長さはシート部６１の長さより短く、折り線６３よりシート部６１の表面６１Ａ側に折り曲げたときにＰＩＮコード４１を覆うが、ＰＯＳコード４２には達しない長さとしている。また、当該隠蔽部材６２の一の角部には剥離用の切欠が形成される。さらに、隠蔽部材６２のシート部６１の表面６１Ａ側に折り曲げ重ね面の全面に従前より知られている剥離性接着層６４が形成されると共に、折り曲げてシート部表面６１Ａに重ね合わせたときにＰＩＮコード４１と重なる位置に上記同様のカーボン入り隠蔽層７１が形成される。
【００２７】
そして、図６（Ｃ）、（Ｄ）に示すように、隠蔽部材６２を折り線６３よりシート部表面６１Ａ側に折り曲げ、剥離性接着層３５を介して重ね合わせ接着させることで、ＰＯＳコード４２は目視可能に表出され、ＰＩＮコード４１は隠蔽部材６２で隠蔽されると同時にカーボン入り隠蔽層７１と重ね合わされた状態となる。すなわち、カーボン入り隠蔽層７１は、折り重ね合わせ面であって、重ね合わせの厚さ方向でＰＩＮコード４１に対応した位置に形成されるものである。なお、ＰＩＮコード４１とカーボン入り隠蔽層７１を、同一のブラックカーボン含有材料で同時に形成してもよい。
【００２８】
このような情報隠蔽シート１１は、ＬＥＤライトを裏側から照射してもカーボン入り隠蔽層７１の照射光の透過による文字柄パターンにより（ベタ塗りの場合は遮光）、ＰＩＮコード４１が認識されることがなく、ＰＩＮコード４１の不正取得を防止することができるものである。なお、上記折り線６３をミシン線として後に取り外せるようにしてもよい。また、隠蔽部材６２をシート部６１と連設させずに、別個の物として剥離可能に接着させてもよい。
【００２９】
ここで、図７及び図８に、本発明に係る情報隠蔽シートの第２実施形態の他の構成図を示す。図７及び図８に示す情報隠蔽シート１１は、図６に示されているカーボン入り隠蔽層の形成位置を、重ね合わせの厚さ方向で異ならせたもので、他の構成は同様である。
【００３０】
すなわち、図７に示す情報隠蔽シート１１においては、図７（Ａ）、（Ｂ）に示すように、カーボン入り隠蔽層７２を隠蔽部材６２の裏面６２Ｂ（折り線６３よりシート部表面６１Ａ側に折り曲げたときの重ね面の反対面）であって、折り重ねたときにシート部表面６１Ａに形成されたＰＩＮコード４１に対応する位置に形成させたものである。そして、隠蔽部材６２を剥離性接着層６４で折り重ね接着させたときには、図７（Ｃ）に示すように、カーボン入り隠蔽層７２がシート部表面６１Ａ側に位置される隠蔽部材６２によって、ＰＩＮコード４１は隠蔽状態で、ＰＯＳコード４２は目視可能な状態となるものである。
【００３１】
また、図８に示す情報隠蔽シート１１においては、図８（Ａ）、（Ｂ）に示すように、カーボン入り隠蔽層７３をシート部６１の裏面６１Ｂ（ＰＩＮコード４１及びＰＯＳコード４２が形成された表面６１Ａの反対面）であって、ＰＩＮコード４１に対応する位置に形成させたものである。そして、隠蔽部材６２を剥離性接着層６４で折り重ね接着させたときには、図８（Ｃ）、（Ｄ）に示すように、ＰＩＮコード４１は隠蔽部材６２により隠蔽状態で、ＰＯＳコード４２は目視可能な状態となるものである。
【００３２】
そして、図７及び図８に示す情報隠蔽シート１１は、ＬＥＤライトを裏側から照射してもカーボン入り隠蔽層７２，７３の照射光の透過による文字柄パターンにより（ベタ塗りの場合は遮光）、ＰＩＮコード４１が認識されることがなく、ＰＩＮコード４１の不正取得を防止することができるものである。
【産業上の利用可能性】
【００３３】
本発明の情報隠蔽シートは、所定の情報を隠蔽した状態で後に視認可能とするプリペイドカード、会員カード、隠蔽葉書等に利用可能である。
【符号の説明】
【００３４】
１１              情報隠蔽シート
１２，６１        シート部
１３              保護部材
１４，６２        隠蔽部材
２１              シート部対応開口部
２２，３３        孔部
３１              ＰＯＳコード対応開口部
３２，５１，５２  カーボン入り隠蔽層
３４              強接着層
３５，６４        剥離性接着層
４１              ＰＩＮコード
４２              ＰＯＳコード
５０              ＬＥＤライト
６３              折り線
７１，７２，７３  カーボン入り隠蔽層
【図１】
2015016625.tif 000003
【図２】
2015016625.tif 000004
【図３】
2015016625.tif 000005
【図４】
2015016625.tif 000006
【図５】
2015016625.tif 000007
【図６】
2015016625.tif 000008
【図７】
2015016625.tif 000009
【図８】
2015016625.tif 000010